(57)【特許請求の範囲】
【請求項１】
電極と、前記電極の表面近傍に位置する生体由来の分子識別素子とで構成されるセンサー部が、電気絶縁性基板上に形成されてなる電極型バイオセンサーであって、
前記電気絶縁性基板が、７０〜１７０℃の融点を有する全脂肪族ポリエステル系樹脂を主成分とするものであることを特徴とする電極型バイオセンサー。
【請求項２】
前記全脂肪族ポリエステル系樹脂が、脂肪族ジオールと脂肪族ジカルボン酸とによる重縮合ポリマー、または２種の脂肪族ヒドロキシカルボン酸による共重合ポリマーのいずれかを主成分とするものであることを特徴とする、請求項１に記載の電極型バイオセンサー。
【請求項３】
前記分子識別素子が、酵素、抗体または抗原、微生物、オルガネラ、レセプタ、細胞組織よりなる群から選択されたものであることを特徴とする、請求項１または２に記載の電極型バイオセンサー。
【請求項４】
前記電極が、白金、金、またはカーボン導電体からなる２〜３極の電極であることを特徴とする、請求項１ないし３の何れかに記載の電極型バイオセンサー。
【請求項５】
前記電極が、前記電気絶縁性基板面上に直接形成されており、前記分子識別素子が、少なくとも１極の検知領域を覆うようにして、前記電気絶縁性基板面に直接定着されていることを特徴とする、請求項４に記載の電極型バイオセンサー。
【請求項６】
前記センサー部が、一枚の電気絶縁性基板上に所定の間隔で規則的に配設されていることを特徴とする、請求項１ないし５の何れかに記載の電極型バイオセンサー。
【請求項７】
電極と、前記電極の表面近傍に位置する生体由来の分子識別素子とで構成されるセンサー部が、電気絶縁性基板上に形成されてなる電極型バイオセンサーの製造方法であって、
７０〜１７０℃の融点を有する全脂肪族ポリエステル系樹脂を主成分として組成されたシート状の電気絶縁性基板に、スパッタリング法または金属性凸版によるホットスタンピング法によって、白金または金からなる２〜３極の電極を形成する工程と、
前記電極のうち少なくとも１つの電極の検知領域が覆われるように、当該電極表面と当該電極の周囲の電気絶縁性基板面に、分子識別素子を含有した液状物を塗布する工程と、を備える電極型バイオセンサーの製造方法。
【請求項８】
前記全脂肪族ポリエステル系樹脂が、脂肪族ジオールと脂肪族ジカルボン酸とによる重縮合ポリマー、または２種の脂肪族ヒドロキシカルボン酸による共重合ポリマーのいずれかを主成分とするものであることを特徴とする、請求項７に記載の電極型バイオセンサーの製造方法。
【請求項９】
前記分子識別素子が、酵素、抗体または抗原、微生物、オルガネラ、レセプタ、細胞組織よりなる群から選択されるものである、請求項７または８に記載の電極型バイオセンサーの製造方法。
【発明の詳細な説明】
【０００１】
【発明の属する技術分野】
本発明は、電気絶縁性基板上に、電極と生体由来の分子識別素子からなるセンサー部を形成してなる電極型バイオセンサーに関する。
【０００２】
【従来の技術】
バイオセンサーは、検体に前処理を施すことなく、検体中の特定の成分を簡便に定性・定量することができるという特徴を有する。このようなバイオセンサーは、基本的には特定成分に対し選択的に反応する生体由来の分子識別素子と、特定成分が分子識別素子と反応した際における変化を捕らえ、最終的に電気信号に変換して出力するトランスデューサ（信号変換器）とで構成されている。そして、前記トランスデューサの受感部としては、トランジスタやサーミスタ、光デバイス等が使用されるが、一般には電極が使用されており、電極を用いたバイオセンサーは、電極型バイオセンサーと総称される。この電極型バイオセンサーは、更に使用する分子識別素子の種類によって、酵素センサー、免疫センサー、微生物センサー、オルガネラセンサー、組織センサー、レセプタセンサーなどに分類される。
【０００３】
ところで、上記した酵素センサー等の電極型バイオセンサーは、一般にシート状の電気絶縁性基板上に電極を形成し、この電極の周囲に生体由来の分子識別素子を固定する方法により製造されている。したがって、電気絶縁性基板と分子識別素子や電極との親和性（馴染み易さ）の良否が、この種のバイオセンサーの製造歩留りや性能の善し悪しを左右する。基板と分子識別素子や電極との親和性が悪いと、基板面に対し電極や分子識別素子を十分に密着させることができないため、基板面から電極や分子識別素子が剥離する等の問題が生じ、また測定精度がばらつく原因になるからである。
【０００４】
然るに、電極型バイオセンサーの基板材として、従来より用いられているセラミックス等の無機系材料や、ポリエチレンテレフタレート等の高分子系材料は、電極材料との親和性や密着性が十分でない。そこで、例えば基板面にコロナプラズマ等による放電処理を施したり、ニッケル、クロム、ＩＴＯ等からなるアンカーコーティング層を設けるなどの方法（前処理法）が、絶縁性基板と電極との密着性を改善する手段として従来より用いられている。
【０００５】
更に、絶縁性基板と生体由来の分子識別素子との密着性を改善する手段として、例えば基板面にアミノ基を有する重合性化合物を塗布し、これにプラズマを照射して基板面上に重合膜を形成したり、固体高分子電解質であるナフィオン（デュポン社の商標名）をコーティングしたり、或いは基板面にＣＭ−デキストリンをコーティングしたり、更には分子識別素子をセルロース等の被膜で包み込む方法等（後処理法）が用いられている。また、最近では、高分子樹脂の分子中にアミノ基、ヒドロキシ基、カルボキシル基などの極性基を導入して、分子識別素子に対する親和性を高める方法が提案されている。
【０００６】
これらの技術を用いて作製された電極型バイオセンサーであると、基板と電極および生物由来の分子識別素子との接着性・密着性がよいので、取扱時や測定時に分子識別素子や電極が基板から剥離する等の恐れが少ない。よって、精度よく特定成分の定性・定量を行うことができる。
【０００７】
【発明が解決しようとする課題】
しかしながら、上記技術を採用した場合、バイオセンサーの製造工程が複雑化する。したがって、製造歩留り率が低下したり、製造コストが上昇したりする。更に、基板の材質や分子識別素子の種類によっては、上記技術を適用し難い場合もある。
【０００８】
また、電極型バイオセンサーは主に生体成分の定性・定量に使用されるものであるので、使用後のセンサーは病原菌等で汚染される場合があり、また識別素子が生物由来のものであるので、検体中の成分を吸着等し易い。よって、バイオセンサーは、検体ごとにセンサーを交換する使い捨て型の使用態様が好ましいが、この場合、公害防止の観点から、大量に発生する使用済センサーを如何に処分するかが問題となる。
【０００９】
ここにおいて、従来より絶縁性基板材料として使用されているポリエチレンテレフタレートなどの高分子樹脂は、焼却炉を破損する程に高温の焼却熱を発したり、完全に燃焼し切らない場合があり、またセラミックス等の無機質材料は、燃えないので焼却処分できない。更に両材料とも微生物等により分解を受け難い材質であるので、埋め立て処分すると、自然環境を害するという問題がある。つまり、従来の電極型バイオセンサーは、使用後においても課題を抱えている。
【００１０】
本発明は、上記に鑑みなされたものであり、電極や生体由来の分子識別素子を十分な密着性をもって定着でき、かつ廃棄に際しては速やかに熱分解または生分解される電気絶縁性基板を案出し、この基板を用いることにより、上記技術を適用しなくとも、使用時に高い信頼性をもって生体成分を定性・定量でき、かつ使用後においては廃棄公害を発生させない電極型バイオセンサーを安価に提供することを目的とする。
【００１１】
【課題を解決するための手段】
上記目的を達成するために、本発明は次の構成を有する。
請求項１の発明は、電極と、前記電極の表面近傍に位置する生体由来の分子識別素子とで構成されるセンサー部が、電気絶縁性基板上に形成されてなる電極型バイオセンサーであって、前記電気絶縁性基板が、７０〜１７０℃の融点を有する全脂肪族ポリエステル系樹脂を主成分として組成されたものであることを特徴とする。
【００１２】
７０〜１７０℃の融点を有する全脂肪族ポリエステル系樹脂を主成分として組成された電気絶縁性基板は、電極材料に対する接着性・密着性がよく、特に生体由来の分子識別素子に対する親和性に優れる。したがって、上記構成の電極型バイオセンサーであると、基板上に電極や分子識別素子を定着し易いので、製造作業性がよいと共に、製品の歩留率が向上する。また、製品の取扱中に分子識別素子が剥離したり、測定に際し分子識別素子が検体液中に遊離してしまうといった現象が生じ難い。
【００１３】
更に、上記全脂肪族ポリエステル系樹脂は、熱分解すると共に微生物によって分解される性質を有するので、このような素材からなる絶縁性基板を用いた電極型バイオセンサーであると、焼却処分、埋め立て処分の何れをも選択でき、廃棄に際し自然環境を害しない。
【００１４】
以上から、上記構成によると、高い信頼性をもって生体成分を定量・定性できかつ環境性にも優れた電極型バイオセンサーが提供できる。
【００１５】
請求項２の発明は、請求項１記載の電極型バイオセンサーにおいて、前記全脂肪族ポリエステル系樹脂が、脂肪族ジオールと脂肪族ジカルボン酸とによる重縮合ポリマー、または２種の脂肪族ヒドロキシカルボン酸による共重合ポリマーのいずれかを主成分とするものであることを特徴とする。
【００１６】
脂肪族ジオールと脂肪族ジカルボン酸とによる重縮合ポリマー、または２種の脂肪族ヒドロキシカルボン酸による共重合ポリマーは、極性が高く生体由来の分子識別素子との親和性がよいと共に、微生物等の作用によって分解し得る性質（生分解性）を有している。したがって、このようなポリマーを主成分とする電気絶縁性基板を用いると、測定精度に優れ、かつ廃棄における無公害性に優れた電極型バイオセンサーが得られる。
【００１７】
請求項３の発明は、請求項１または２に記載の電極型バイオセンサーにおいて、前記分子識別素子が、酵素、抗体または抗原、微生物、オルガネラ、レセプタ、細胞組織よりなる群から選択されたものであることを特徴とする。
【００１８】
上記の生体由来の各素子は、分子識別素子として有用であり、他方、電気絶縁性基板の主材である全脂肪族ポリエステル系樹脂は、これらの生体由来の素子との親和性が極めて高い。したがって、酵素、抗体または抗原、微生物、オルガネラ、レセプタ、細胞組織よりなる群から測定したい物質に適合する好適な素子を選択し用いた電極型バイオセンサーであると、測定対象物質を高い信頼性をもって検知できる。
【００１９】
請求項４の発明は、請求項１ないし３に記載の電極型バイオセンサーにおいて、前記電極が、白金、金、またはカーボン導電体からなる２〜３極の電極で構成されていることを特徴とする。
【００２０】
白金、金は、極めて導電性に優れると共に、スパッタリング法や金属性凸版によるホットスタンピング法または塗布法を用いることにより、本発明にかかる基板上に容易に電極を形成することができる。また、カーボン導電体は、白金、金に比べると若干導電性に劣るものの、ペースト状となし基板に塗布等することにより、簡単に電極を形成することができる。
【００２１】
なお、これらの電極材料を用いて少なくとも作用極（分子識別素子を必須とする極）と対極を形成するか、作用極とその対極および参照極の合計３極を基板上に形成し、これらの２〜３極でセンサー単位を構成することになるが、電極型バイオセンサーの小型化のためには、作用極と対極からなるセンサー単位が好ましい。他方、測定の信頼性を高めるためには、参照極を加えた３極とするのがよい。
【００２２】
請求項５の発明は、請求項４に記載の電極型バイオセンサーにおいて、前記電極が、前記電気絶縁性基板面上に直接形成されており、前記分子識別素子が、少なくとも１極の検知領域を覆うようにして、前記電気絶縁性基板面に直接定着されていることを特徴とする。
【００２３】
この構成では、絶縁性基板面上に２〜３極の電極を直接形成すると共に、前記２〜３極の電極の少なくとも１つの電極（作用極に相当する電極）の検知領域が分子識別素子で覆われるように、前記絶縁性基板面に分子識別素子を直接定着させてあるが、電極や分子識別素子を基板面上に直接定着させるこの構成であると、基板と電極や分子識別素子との間に他の部材が介在しないので、その分、必要な原材料を少なくできると共に、工程数を少なくできる。よって、この構成によると、製造コストの低減を図れる。なお、上記検知領域とは、検体（測定対象物）に挿入または浸漬する電極部分を意味する。
【００２４】
ところで、上記構成は、電極材料や生体由来の分子識別素子に対する親和性や密着性に優れた全脂肪族ポリエステル系樹脂を主体とする絶縁性基板を用いて初めて可能になる。なぜなら、シリコンやポリエチレンテレフタレート等からなる従来の絶縁性基板では、電極材料や生体由来の分子識別素子との親和性・密着性が悪いため、このような基板の表面に直接電極や分子識別素子を定着した場合、僅かな外力が加わっても、電極や分子識別素子が基板から剥離してしまう。したがって、実質的に使用可能な電極型バイオセンサーが得られなかった。このため、前記した如く従来のバイオセンサーでは、電極や分子識別素子との親和性・密着性を改善するために、基板に予め他の素材を塗布する等の前処理を行うのが一般的であった。然るに、上記構成の本発明では、前処理を行わなくてもよいので、その分電極型バイオセンサーの生産コストを低減させることができることになる。
【００２５】
請求項６の発明は、請求項１ないし５に記載の電極型バイオセンサーにおいて、前記センサー部が、一枚の電気絶縁性基板上に所定の間隔で規則的に配設されていることを特徴とする。
【００２６】
この構成であると、多数のバイオセンサーを一度に効率よく製造できる。また、センサー部のそれぞれをトランスデューサに接続することにより、多数の検体を同時に測定処理できる測定装置と成すことができる。更に、この構成では、複数のセンサー部が所定の間隔で規則的に配設されているので、各々のセンサー部を順次移動（回転運動等）させてトランスデューサに接続する態様とすることもでき、このような態様の測定装置であると、多数の検体を連続的かつ自動的に測定処理することが可能となる。
【００２７】
請求項７の発明は、電極と、前記電極の表面近傍に位置する生体由来の分子識別素子とで構成されるセンサー部が、電気絶縁性基板上に形成されてなる電極型バイオセンサーの製造方法であって、７０〜１７０℃の融点を有する全脂肪族ポリエステル系樹脂を主成分として組成されたシート状の電気絶縁性基板に、スパッタリング法または金属性凸版によるホットスタンピング法によって、白金または金からなる２〜３極の電極を形成する工程と、前記電極のうち少なくとも１つの電極の検知領域が覆われるように、当該電極表面と当該電極の周囲の電気絶縁性基板面に、分子識別素子を含有した液状物を塗布する工程と、を備えることを特徴とする。
【００２８】
また請求項８の発明は、請求項７に記載の電極型バイオセンサーの製造方法において、前記全脂肪族ポリエステル系樹脂が、脂肪族ジオールと脂肪族ジカルボン酸とによる重縮合ポリマー、または２種の脂肪族ヒドロキシカルボン酸による共重合ポリマーのいずれかを主成分とするものであることを特徴とする。
【００２９】
更に請求項９の発明は、請求項７または８に記載の電極型バイオセンサーの製造方法において、前記分子識別素子が、酵素、抗体または抗原、微生物、オルガネラ、レセプタ、細胞組織よりなる群から選択されるものであることを特徴とする。
【００３０】
上記請求項７〜９に記載の製造方法によると、上記請求項１〜６の電極型バイオセンサーを効率良く製造できる。よって、これらの製造方法によると、電極型バイオセンサーの品質の向上と生産コストの低減が図れる。
【００３１】
【発明の実施の形態】
まず、本発明が特徴とする全脂肪族ポリエステル系樹脂について説明する。
本発明にかかる全脂肪族ポリエステル系樹脂は、脂肪族基がエステル結合し、これが繰り返し単位となって、長鎖状ポリマーを形成したものをいい、分子中に芳香族基を有しないものをいう。なお、芳香族基を有する樹脂であると、生分解し難くなり、廃棄処分性が悪くなるので好ましくない。
【００３２】
本発明では、上記のような全脂肪族ポリエステル系樹脂のうち、融点が７０℃以上で１７０℃以下のものを使用する。融点が７０℃未満であると、十分な強度を持ったシートが得難くなると共に、ホットスタンピング法を用いて電極を形成する場合に熱変性する恐れがある。その一方、融点が１７０℃を越えるものは、分子量が大きくて生分解性が悪いと共に、生体由来の分子識別素子との親和性が悪くなる。よって、電極型バイオセンサー用の電気絶縁性基板の組成分としては、融点が７０℃〜１７０℃の全脂肪族ポリエステル系樹脂を用い、より好ましくは融点が９０〜１６０℃の高分子量体（数平均分子量Ｍｎで約３万以上）を用いる。
【００３３】
上記した全脂肪族ポリエステル系樹脂は、次の２つの方法により製造できる。その一つは、グリコール（脂肪族ジオール）と脂肪族ジカルボン酸との重縮合反応であり、他の一つは、脂肪族ヒドロキシカルボン酸の１種又は２種以上の重縮合反応である。そして、これらの製法を用い、重合度を適当に調整することにより、融点が７０〜１７０℃の単独重合又は共重合ポリマーを得ることができる。
【００３４】
上記製法を具体例で説明する。
まず、グリコールと脂肪族ジカルボン酸との重縮合反応の例としては、ジメチレングリコールとジメチレンカルボン酸又はオクタメチレンジカルボン酸の組合せ、テトラメチレングリコールとジメチレンカルボン酸との組合せ、デカメチレングリコールとジメチレン−、テトラメチレン−、ヘキサメチレン−又はオクタメチレン−の各ジカルボン酸との組合せ、エイコサメチレン（Ｃ＝２０）グリコールとジメチレン−、テトラメチレン−、ヘキサメチレン−又はオクタメチレン−の各ジカルボン酸との組合せが例示できる。
【００３５】
上記組み合わせにおいて、各々の成分を１種類とすると単独重合ポリマーが得られ、いずれか一方の成分を２種類以上用いて３成分以上で重縮合反応を行うと、共重合ポリマーが得られる。そして、各々の成分の組み合わせ方を変えることにより、融点を変化させることができる。このうち、成形性と成形物の強度の面から、次の組合せで反応させたポリマーが、本発明にかかる全脂肪族ポリエステル系樹脂として特に好適である。
【００３６】
即ち、ジメチレングリコールとジメチレンカルボン酸の組合せ、テトラメチレングリコールとジメチレンカルボン酸との組合せて反応させたポリマーであり、これらのポリマーの融点は、約１００〜１６０℃である。
【００３７】
次に、脂肪族ヒドロキシカルボン酸の重縮合反応について説明する。
１種類の脂肪族ヒドロキシカルボン酸を用いた重縮合反応では、分子内自己重縮合による単独重合ポリマーが得られ、２種類以上の脂肪族ヒドロキシカルボン酸を用いて重縮合反応を行った場合には、共重合ポリマーが得られる。具体的には、例えばグリコール酸、乳酸、ヒドロキシ酪酸、またはヒドロキシ吉草酸のそれぞれを単独で重縮合反応させた単独重合ポリマー、またはこれらのうち異なるもの同志を組み合わせて重縮合反応させた共重合ポリマー、またはこれらの１種類以上とε−カプロラクトン、δ−バレロラクトン、又はラクチド等の環状エステルとの組み合わせによる共重合ポリマーが例示できる。
【００３８】
そして、本発明にかかる電気絶縁性基板用の素材としては、成形性、強度の面から、単独重合ポリマーよりも、２成分以上を重縮合された共重合ポリマーが好ましい。具体的には、例えばヒドロキシ酪酸とヒドロキシ吉草酸とを組合せたものが好ましい。なお、２成分以上の共重合ポリマーの場合には、共重合比によって融点が変化するが、ヒドロキシ酪酸とヒドロキシ吉草酸との共重合ポリマーにおいては、ヒドロキシ吉草酸を２〜４０モル％の範囲とすると、約１７０℃から９０℃の融点を有するポリマーが得られる。
【００３９】
本発明にかかる電気絶縁性基板は、上記した全脂肪族ポリエステル系樹脂の一つを単独で使用したものであってもよく、また種類の異なる複数の全脂肪族ポリエステル系樹脂同志をブレンドして用いてもよい。異なる性質のポリマーをブレンドした場合、単独のポリマーでは得られない好適な性質（例えば成形性、強度、耐熱性など）が得られる場合があるからである。
【００４０】
更に、本発明にかかる電気絶縁性基板には、上記したポリマー（全脂肪族ポリエステル系樹脂）以外のポリマーやその他の物質を含めることもできる。このような成分としては例えば二酸化チタンが挙げられ、電気絶縁性基板に二酸化チタンを少量添加すると、絶縁性基板を白色化でき、基板上の付着物等の確認が容易になるという効果が得られる。但し、全脂肪族ポリエステル系樹脂以外の成分が多くなると、電気絶縁性基板の親和性や生分解性に悪影響を与えるので、全脂肪族ポリエステル系樹脂以外の添加成分は電気絶縁性基板重量に対し、５０重量％未満とするのがよい。５０重量％未満であれば、全脂肪族ポリエステル系樹脂の性質が基板の特性を決定する支配的要因となるからである。
【００４１】
全脂肪族ポリエステル系樹脂を主成分とする本発明にかかる電気絶縁性基板の技術的意義を更に説明する。
上記した如く、全脂肪族ポリエステル系樹脂は、電極や生体由来の分子識別素子との密着性・親和性に優れる。したがって、このような樹脂を主成分とする絶縁性基板であると、基板に対し予め特別な前処理を行わなくとも、基板面に直接、電極や分子識別素子を形成できる。そして、この基板は特に酵素や生体組織等の生体由来の素子（即ち分子識別素子）との親和性に優れ、他方これらの生体由来の素子は、通常ある程度の粘着力を有しているので、これらの生体由来の素子は、特別な粘着剤を使用しなくとも十分に実用に耐える付着力をもって基板に付着する。よって、分子識別素子を極めて作業性よく基板に定着でき、必要に応じて分子識別素子を基板に付着させた後、例えばメチルセルロース被膜等からなる保護膜で素子表面を覆えば、分子識別素子を一層強固に定着し得たバイオセンサーとできる。
【００４２】
また、上記の全脂肪族ポリエステル系樹脂は、生体成分に近似した性質を有するものであるので容易に燃焼すると共に、生分解性を有するので、土中に埋めて自然分解させることができる。よって、使用済のバイオセンサーの廃棄に際して、自然環境を害することがない。
【００４３】
これに対し、従来から実用に供され、または提案されている他の電気絶縁性基板材料、例えばシリコンなどの無機系基板、ポリエチレンテレフタレート、ポリエチレンナフタレート又はポリブチレンテレフタレートの半芳香族ポリエステル、ポリカーボネート、ポリイミド、ポリアミドイミド、ポリエーテルサルホン、ポリアリレート、ポリエーテルケトン、ポリオレフィン等の合成樹脂からなる基板材料は、電極や生体由来の成分に対する親和性が低い。したがって、前処理や後処理を行うことなく、基板面に対し直接、分子識別素子を定着した場合、製品の取扱中や使用中（測定中）において、電極や分子識別素子が基体から剥離する。更に、これらの物質は、完全燃焼しなかったり、微生物耐性が高かったりするので、廃棄に際し自然環境を害する恐れがある。
【００４４】
なお、廃棄対象となるバイオセンサーは、基板と電極と分子識別素子で構成されているが、処分性の良否は基板材質の特性により概ね決定される。なぜなら、電極は、金や白金や炭素導電体などの素材からなり、かつ使用量が少ないので、自然環境を破壊することがない。また、生体由来物質である分子識別素子は、完全に焼却でき、埋め立てによっても容易に生分解して自然環境に同化するからである。
【００４５】
以上から、本発明バイオセンサーは、基板に対する前処理工程や後処理工程を必須としないので、従来のバイオセンサーに比べ低コストでもって製造できる。しかも、廃棄に際し公害を発生しないので、自然環境保全という社会性も備えている。なお、本発明バイオセンサーにおいても、前記した公知の前処理や後処理を施すことができることは勿論であり、これらの手段を用いることにより一層高品質の電極型バイオセンサーが得られる。
【００４６】
本発明で使用する分子識別素子としては、種々の生体由来の物質が使用でき、特に制限されるものではないが、通常、酵素、抗体または抗原、微生物、オルガネラ、レセプタ、細胞組織よりなる群から選択されるものが使用される。以下、具体例で説明する。
【００４７】
酵素センサーでは、検体の測定対象によって分子識別素子としての酵素の種類を変える。例えば測定対象がグルコースの場合はグルコースオキシターゼ、測定対象がエタノールの場合はアルコールオキシターゼ、測定対象が乳酸の場合は乳酸オキシターゼ、測定対象が尿酸の場合はウリカーゼを用いる。
【００４８】
免疫センサーでは、抗原抗体反応を利用し、例えばヒト血清アルブミンを測定する場合は、分子識別素子として抗アルブミンを用いる。なお、免疫センサーにおいては、抗原抗体複合体の形成によって変動する膜電位を捕らえることになる。
【００４９】
微生物センサーでは、分子識別素子として、例えばPseudomonas fluorescence（測定対象；グルコース）、Trichosporon brassicae（測定対象；エタノール）などの微生物を用いる。これらの微生物は、酸素呼吸（好気性）し、或いは酸素のない環境で代謝物を生成するので、酸素呼吸量または代謝産物を電位的にとらえることになる。
【００５０】
オルガネラセンサーでは、分子識別素子として細胞小器官を用いる。例えばミトコンドリアの電子伝達粒子を用いると、ＮＡＤＨが測定できる。この原理としては、ミトコンドリアの電子伝達粒子によりＮＡＤＨが酸化され、この際酸素が消費されるので、この酸素を指標としてＮＡＤＨやＮＡＤＰＨを測定することができる。
【００５１】
レセプタセンサーでは、分子識別素子として受容体である例えば細胞膜などを用いる。検体としては、ホルモンとか神経トランスミックが対象となる。測定原理としては、受容の変化を電位に変換し、電極を通じて測定することになる。
【００５２】
組織センサーでは、分子識別素子として動植物の組織を用いる。動植物の組織としては、例えばカエルの皮膚とか、動物の肝切片、キウリ、バナナの皮などが使用できる。測定原理としては、例えばカエルの皮膚組織を用いたナトリウムセンサーでは、カエルの皮膚組織がナトリウムイオンを選択的に透過し、その際皮膚組織の電位が変化するので、この電位変化を測定しナトリウムイオン量を求める。
【００５３】
次に電極について説明する。
本発明電極型バイオセンサーにおいては、基板上に２〜３極の電極を形成し、これをセンサー単位とする。２極で１つのセンサー単位を構成する場合には、各々の電極は、作用極（分子識別素子を必須的に備える電極）と対極とを１組とし、３極で１つのセンサー単位を構成する場合には、他の一つの電極を参照極とする。２極とするか３極とするかは、分子識別素子の種類や測定原理等を考慮して望ましい形態を選択する。
【００５４】
上記電極の材質としては、白金、金、銀等の金属や、カーボン導電体（例えば導電性カーボン混入のペースト状樹脂）などが使用できる。好ましくは電気良導性であり腐蝕を受けにくく、かつ前記基板との密着性も良好であることから、白金、金またはカーボン導電体を用いる。
【００５５】
上記の２〜３極の電極は、図１、４に示すように、可能なかぎり近接させて配置すると共に、足部分（図１の矢印２１のリード部）よりも先端部分（図１の矢印２０）の大きい形状が良い。また、バイオセンサーでは、分子識別素子が生体由来の物質であり、一度測定に用いると検体成分で汚染され易い。よって、測定の度に新品と交換する使い捨て型の使用形態が好ましい。
【００５６】
使い捨て型の形態としては、例えば、対極や参照極は繰り返し使用でき、作用極のみを測定の度に脱着し新品に交換できる単品取替え方式とするのもよい。また、一枚の基板上に複数のセンサー部を形成した連設型のバイオセンサーとなし、この連設型バイオセンサーを用いることにより、複数の検体を連続的に測定する形態とするのもよい。
【００５７】
上記連設型バイオセンサーにおいては、好ましくは各センサー部およびセンサー部を構成する各電極を一定の間隔で規則的に配列する。このように配列した連設型のバイオセンサーであると、検液を各々のセンサー部の検知領域に滴下する方法により、同時または連続的な測定が可能になる。連設型バイオセンサーのセンサー部の配設数は特に限定されるものではないが、一般には１０〜２０個とする。そして、図１のごとくセンサー部を横列に配列するか、または図４のごとく円形状に配列する。センサー部が円形状に配設された連設型バイオセンサーであると、基板を回転する方法により連続的な使い捨て態様の測定が可能になる。更に、各センサー部の間隔としては、測定効率の面やコスト面から、好ましくは検液が隣のセンサー部にまで漏れ出ない範囲においてできるだけ狭くし、全体をコンパクトにするのがよい。
【００５８】
次に、本発明電極型バイオセンサーの製造方法について詳細に説明する。
【００５９】
まず、電気絶縁性基板として、全脂肪族ポリエステル系樹脂からなるシート状の基板を（厚さ約０．１〜２ｍｍ程度）を用意し、そのまま又は表面をアルコールで脱脂洗浄する。この基板に対し、導電性材料を用いて電極を形成する。導電性材料としては、金、白金、銀等の金属、或いは炭素導電体などが使用でき、金属を用いる場合には、スパッタリング法、金属性凸版によるホットスタンピング法を用いて電極形成を行う。具体的には次のようにして行う。
【００６０】
スパッタリング法においては、２つの方法が例示できる。その一つは、金属板等に所望する形状の電極パターンを形成したマスク板を予め作製しておき、このマスク板を前記基板面に密着させ、前記マスク板側を白金又は金などのインゴットからなるターゲットと対向させてスパッタリング装置内にセッティングし、該槽内をアルゴン等の不活性雰囲気で満たし、そこに直流電源又は高周波電源を印加する。そうすると、不活性ガスのイオンがターゲットに衝突し、ターゲットからはじき出された原子（スパッタリング粒子）が、マスキング板の貫通パターンを通って前記基板上に付着する。これにより、白金や金からなる所望形状の電極が形成できる。
【００６１】
他の一つは、マスキング板を用いずに行う方法である。先ず、上記と同様な方法により、基板片面の全面に金、白金等の薄膜を形成せしめる。次に、写真製版法とエッチング法を用いて、薄膜を所望形状に加工する。この方法は、一枚の基板面に多数の電極を一度に形成せしめる場合に有用である。尚、電極としての薄膜の厚さは任意に設定できるが、一般には１０００〜３０００Å程度とする。
【００６２】
ホットスタンピング法では、次のようにして電極を形成する。先ず、亜鉛、真鍮等の金属板に写真製版法とエッチング法を用いて、所望する電極パターン形状を凸状に形成する（凸版製版）。この凸版をホットスタンピング装置の台の上面に装着して前記凸版を転写可能な温度に加熱する。該台の下面に絶縁性基板をセットし、該台と基板との間に金又は白金を蒸着した転写箔を配置した後、所定速度で前記凸版を降下し転写箔を基板に加熱加圧する。これにより、転写箔の蒸着金または蒸着白金が凸版の形成パターンに切断、剥離されて基板面に転写され、白金または金からなる電極が基板上に形成される。
【００６３】
上記ホットスタンピング法における加熱温度、加圧力、加圧時間は、転写箔の種類や蒸着金属の種類を考量して適当に設定する必要があり、予備的実験により具体的条件について事前確認しておくのが良い。一般には温度１００〜１５０℃、圧力３〜６ｋｇ／ｃｍ2 、維持時間０．１〜０．５秒程度とする。ホットスタンピング方法によると、前記スパッタリング方法による場合に比較して、電極と基板との密着性がよいと共に、基板面に直接的、連続的に電極を形成することができるという利点がある。よって、本発明においては、好ましくは電極材料として金、白金などを用い、電極形成手段として、ホットスタンピングを用いる。
【００６４】
但し、単に基板面に塗布するだけで電極が作製できること、低コストであること、および完全に燃焼する材質であることなどから、カーボン導電体で電極を形成するのもよい。なお、カーボン導電体からなる電極は、金や、白金からなる電極に比較した場合、導電性がやや悪いので、カーボン導電体が有する導電性で十分である使用用途において、カーボン導電体電極を採用する。カーボン導電体電極の形成方法としては、基板上に導電性カーボン粉体を含む樹脂のペースト状物を所望の電極パターンに塗布または印刷する方法により行うことができる。
【００６５】
次に、電極が形成された基板に分子識別素子を固定化する方法につい説明する。
【００６６】
本発明においては、分子識別素子の固定化方法や定着方法については特別な制限はなく、基板上に形成された２〜３極の電極の検知領域全体、または作用極とすべき電極の周囲に常法により固定化された分子識別素子を定着し、必要に応じてその上をアセチルセルロースなどの保護膜で覆えばよい。
【００６７】
ところで、前記したごとく、一般に生体由来の物質（分子識別素子）は粘着力が強く、他方、前記全脂肪族ポリエステル系樹脂を主体とする基板は、生体由来物質との親和性に優れる。よって、本発明においては、生体由来物質である分子識別素子をそのまま、或いは溶液状として電極の先端部分（検知領域となる部分）を中心にして基板にコーティング（デッピング、ロールコーティング等）、塗布、貼着等し、乾燥（常温又は加熱）する方法により、十分に基板面に密着固定させることができる。
【００６８】
なお、上記「十分に」とは、測定中や取扱い中に剥離することのない程度を意味する。また、バイオセンサーでは、せいぜい２〜３回の繰り返し使用ができれば十分であり、この程度の繰り返し使用であれば、担持体に担持させる方法を用いなくともよい場合が多い。但し、下記に例示するように、酵素等の分子識別素子材料をを担持体に担持させ塗布等してもよいことは勿論であり、このような方法を用いた場合においては、繰り返し使用に耐えるバイオセンサーが得られる。担持体に担持せしめる手段としては、例えば包括法、架橋法、担体結合法等が例示でき、本発明においてはこれらの各方法が使用可能であり、固定化法により制限を受けるようなことはない。
【００６９】
【実施例】
本発明の内容を実施例と比較例に基づいて、更に詳細に説明する。
（実施例１）
ヒドロキシ酪酸とヒドロキシ吉草酸との共重ポリエステル樹脂（融点約１５０℃）を少量の酸化チタンと共に１９０℃で溶融混練してペレット化し、このペレットを０．５ｍｍの厚さで押し出し成形し、縦８０ｍｍ×横５１ｍｍの大きさに切断して、白色の実施例１にかかる電気絶縁性基板を作製した。以下、この基板を基板１と称する。
【００７０】
他方、電極パターン形成用マスク板として、図３に示す縦１００ｍｍ×横６０ｍｍ、厚み０．１５ｍｍの大きさのステンレス板６を用意し、このステンレス板に写真製版法とエッチング法を用いて、３極を一組とし、これを横に５列並べた電極パターンを形成した。なお、電極パターンは、貫通された抜き型となっており、各電極相互のピッチ間隔は２ｍｍとしてある。また、図３中、７は作用極、７ａがその端子部分、８が対極、８ａがその端子部分、９が参照極、９ａがその端子部分の切り抜きを意味する。図３に示す電極パターン基板を電極パターン１とする。
【００７１】
次に、前記基板１上と電極パターン１とを重ね合わせて、下記条件で白金をターゲットとするスパッタリングを行ない、白金薄膜からなる５組の電極群を基板１上に形成した電極型バイオセンサー４個を作成した。
【００７２】
スパッタリング条件
・方式      ＤＣスパッタ
・スパッタリング温度        室温
・動作圧力      ７０×１０-3Torr
・印加電圧      ６００Ｖ
・スパッタリング時間      １０分
【００７３】
得られた白金薄膜の膜厚は１５００Åであり、形状、サイズはマスク板（電極パターン１）通りに忠実に再現されていた。この電極の形成された基板１を電極付基板１と称する。
電極付基板１について、電極と基板面との密着力を調べるために、５列の電極全体にセロテープ（登録商標）を張り付けて剥がす剥離テストを行った。その結果、５回の繰り返し剥離テストにおいては、電極の剥離が全く確認されなかった。
【００７４】
上記電極付基板１の電極（３極）の先端部全体に、次のようにして固定化したグルコースオキシターゼを添着した。先ず、ＰＨ＝７に調整したリン酸塩緩衝液に１５重量％の牛血漿アルブミンを溶解した溶液２００ｍｌを用意し、この溶液にグルコースオキシターゼ粉末を２０ｇ溶解し、担持体を含むグルコースオキシターゼ溶液（以下、酵素液１）を作製した。
【００７５】
他方、架橋剤液として、２５重量％のグルタルアルデヒドを溶解した水溶液２００ｍｌを用意した（架橋剤液１）。そして、前記酵素液１の１００ｍｌを用い、該液に３極の先端部分（図１の点線内；検知領域）を浸漬して、先端部分を酵素液で濡らした後、該液から上げて１．５分間の乾燥を行った。次に、今度は架橋剤液１を１００ｍｌ採取し、この液に上記先端部分を浸漬した後、上記と同様にして１．５分間乾燥した。このような酵素液と架橋剤液に対する浸漬・乾燥のサイクルを２回繰り返した後、先端部分をＰＨ＝７のリン酸塩緩衝液で洗浄し、乾燥した。これにより、グルコースオキシターゼのコーティング（定着操作）を完了した。この操作により形成されたグルコースオキシターゼ膜の膜厚は、２０〜２２μｍであった。
【００７６】
上記で定着させたグルコースオキシターゼ膜の電極面または基板面に対する密着力を、上記と同様、テープを用いた剥離テストで調べた。その結果、グルコースオキシターゼ膜は、２回の繰り返しで電極面からの部分的な剥離（剥離個数１０／電極数２０）が観察され、３回の繰り返しにおいては、基板面から部分的な剥離（剥離箇所２／基板数４）が観察された。なお、部分的な剥離とは、電極面積の１／２〜１／４程度の剥離を意味する。
【００７７】
図１、２に、基板１上に形成された電極及びグルコースオキシターゼ膜（分子識別素子）の形状を示した。図１は平面図であり、図１中、１は電気絶縁性基板１であり、２は作用極、３は対極、４は参照極である。５（斜線を施した部分）は、グルコースオキシターゼ膜が定着された部分であり、この部分が検知領域となる。また、図１中、２０（矢で示す箇所）は、電極の足部であり、２１はリード部である。リード部２１は、検知領域５で検知した電気信号をトランスデューサ本体に伝える役割を担っている。なお、一般に足部２０はリード部２１よりも幅太に形成される。更に図２の２ａは、作用極２、対極３および参照極４からなる一組の電極群（センサー部）の部分拡大平面図であり、図２の２ｂは２ａにおけるＡ−Ａ線断面図、図２の２ｃは２ａにおけるＢ−Ｂ線断面図である。
【００７８】
図１、図２の２ａ〜２ｃに示すように、実施例１の電極型バイオセンサーは、作用極２、対極３、参照極４が一組となってセンサー部（センサー単位）を形成し、このセンサー部が合計５個横列に配列された形状になっている。そして、分子識別素子は、前記電極群の検知領域（５）を覆うようにして、基板１と電極の表面に定着されている。このような構造の電極型バイオセンサーであると、基板と電極と分子識別素子以外の部材を必要としないので、作製が容易である。また、本発明にかかる基板は、生体由来の分子識別素子（この例ではグルコースオキシターゼ）と親和性がよいので、分子識別素子を基板に強力に密着させることができる。
【００７９】
なお、５個横列に配列されたセンサー部の各々を切り離して一個のバイオセンサーとして使用することができ、切り離すことなく使用することもできることは勿論である。
【００８０】
（比較例１）
実施例１の基板１に代えて、厚さ１８０μｍのポリエチレンテレフタレートフィルムからなる基板を用いたこと以外は、実施例１と同様にして比較例１にかかる電極型バイオセンサー４個を作製した。この比較例１においても、外見上、グルコースオキシターゼ膜は実施例１と同様に良好な形状にコーティングされていた。そこで、実施例１と同様にして、セロテープ（登録商標）による剥離テストを各バイオセンサーについて行って基板等に対する密着力を調べた。その結果は次の通りであった。
【００８１】
１回の剥離テストで、グルコースオキシターゼ膜が、フィルム基板面からも電極面からも部分的に剥離した。次に、フィルム基板と電極との密着力を調べるために、グルコースオキシターゼ膜を完全に除去してフィルム基板面上を電極のみとなし、電極にセロテープ（登録商標）を張り付けて剥離テストを行った。その結果、２回目で全ての電極がフィルム基板面から剥離した。
【００８２】
実施例１と比較例１における剥離テストの結果から、実施例１にかかる基板は、比較例１にかかるポリエチレンテレフタレートフィルム基板に比較し、電極やグルコースオキシターゼ膜に対する親和性・密着性が顕著に優れることが実証できた。
【００８３】
（実施例２）
テトラメチレンジオールとジエチレンジカルボン酸との重縮合反応によって得た融点１１０〜１２０℃の脂肪族ポリエステル樹脂をペレット化し、これを厚さ０．５ｍｍのシートに溶融成形したものを直径５０ｍｍの円盤状に切断したものを、電気絶縁性基板とした。以下、この基板を円形基板２と称する。
【００８４】
他方、図４に示す通りの作用極と対極からなる一組の電極群を２０個配列した電極パターンを円盤状のマスキングフィルム（ネガフィルム）に形成した。そして、このマスキングフィルムを使って、厚さ３ｍｍの真鍮板に写真製版法とエッチング法を用いて、凸版（深度１ｍｍ）の対応画像を形成し、これをホットスタンピング用凸版と成した（以下、これを真鍮凸版と称する）。
【００８５】
更に、転写箔として、離型用シリコーンをコーティングした厚さ２５μｍのポリエチレンテレフタレートフィルム上に、白金を厚さ約５００Åに真空蒸着し、更に白金蒸着面にアクリル系の接着剤をコーティングした白金転写箔を作製した。
【００８６】
次いで、ホットスタンピング機の上盤に、前記真鍮凸版をセットし、１３５℃に加熱すると共に、受台上に円形基板２を配置し、前記凸版と円形基板２との間に白金転写箔を配置した後、上盤を降下し、前記凸版を円形基板２に対し５ｋｇ／ｃｍ2 の圧力で０．３秒の間押圧した。これにより、円形基板２に白金転写箔が転写されて、マスキングフィルムの電極パターン画像と１対１の関係の電極群が形成された。
【００８７】
このようにして電極が形成された円形基板２に対し、実施例１と同様にして、セロテープ（登録商標）による剥離テストを行った。その結果、５回の繰り返しの剥離テストにおいて、基板からの電極の剥離が剥離個数５／全数２０の割合で観察された。
【００８８】
他方、前記電極付き円形基板２を用い、２０組の電極群の先端部全体（図４の点線の外側；この部分が検知領域となる）に、分子識別素子としてのウリカーゼ（尿酸測定用酵素）をコーティングし、定着させた。具体的には、ウリカーゼを若干のエチルアルコールを加えて超純水に溶解して溶液と成し、この溶液を電極の形成された円形基板２の検知領域に塗布し、乾燥するサイクルを３回繰り返した。定着したウリカーゼ膜の膜厚は、２０μｍであった。
【００８９】
次に、ウリカーゼ膜の密着力を上記と同様にして、剥離テストにより調べた。その結果、２回目に剥離個数１５／全数２０の割合で部分的な剥離（ウリカーゼ膜面積の約１／４）が観察された。この結果からして、ウリカーゼ膜（分子識別素子）の密着力は、前記実施例１のグルコースオキシターゼ膜よりも弱いことが判った。但し、２回目で部分剥離する程度の密着力があれば、取扱い中や測定中において分子識別素子が剥離または離脱してしまう程度ではなく、十分に実用に耐える程度の密着力である。
【００９０】
上記方法で作製した円盤状の電極型バイオセンサーの形状を図４に示した。図４中、１０はテトラメチレンジオールとジエチレンジカルボン酸との重縮合反応によって得た融点１１０〜１２０℃の脂肪族ポリエステル樹脂からなる円形基板２であり、１１は作用極、１２は対極である。また１１ａは作用極の外部側端子、１２ａは対極の外部側端子であり、この１１ａ、１２ａを介して電極に電圧が印加されると共に、検知された電気信号がトランスデューサ側に入力されることになる。なお、図４の点線の外側は、ウリカーゼが定着された検知領域である。また、この図４に対応するマスキングフィルムは、像部が透明で、他の部分が光不透過となるように描写されている。
【００９１】
（比較例２）
実施例２の円形基板２に代えて、０．５ｍｍのポリカーボネートシートを用いたこと以外は、実施例２と同様にしてポリカーボネートシート基板に電極群を形成した。そして、実施例２と同様にして、電極に対するセロテープ（登録商標）による剥離テストを行った。その結果、３回の剥離テストにおいて基板からの電極の剥離が剥離個数６／全数２０の割合で観察された。
【００９２】
他方、実施例２と同様にして電極の形成されたポリカーボネートシート基板に対し、ウリカーゼ溶液を電極先端部に塗布して、膜厚２１μｍのウリカーゼ膜を形成した。このウリカーゼ膜についても、実施例２と同様にして剥離テストを行った。その結果、ウリカーゼ膜は１回の剥離テストで電極から完全に剥離してしまった。
【００９３】
以上の実施例２と比較例２との剥離テストの結果から、テトラメチレンジオールとジエチレンジカルボン酸とを重縮合させた全脂肪族ポリエステル系樹脂を用いた本発明にかかる電気絶縁性基板は、ポリカーボネートシートからなる基板に比較し、電極及び酵素との密着力が高いことが実証された。
【００９４】
なお、本発明者らは、実施例１にかかる基板１および実施例２にかかる円形基板２は、完全に燃焼させることができ、また土中に埋めた場合、土壌微生物の作用を受け６ヶ月程度で分解することを確認している。
【００９５】
【発明の効果】
以上の説明から明らかなように、電極型バイオセンサーの電気絶縁性基板として全脂肪族ポリエステル系樹脂を主成分とする基板を用いる本発明によると、従来の電極型バイオセンサーに比較して、次のような優れた効果が得られる。
【００９６】
(1)上記電気絶縁性基板は、電極や生体由来の分子識別素子との親和性・密着性がよいので、基板に対し特別な部材（前処理）を施すことなく、基板面上に直接的に電極や分子識別素子を形成した場合であっても、十分に実用に耐える密着力が確保できる。したがって、本発明によると、簡単な構造でもって高品質のバイオセンサーが実現できる。
【００９７】
(2) 電極や分子識別素子に対する親和性に優れた上記基板を用い、スパッタリング法やホットスタンピング法で電極を形成する本発明製造方法によると、複雑な工程を経ることなく、一度に複数のバイオセンサーを歩留りよく生産できる。したがって、本発明製造方法によると、高品質のバイオセンサーが安価に提供できる。
【００９８】
(3) 更に、全脂肪族ポリエステル系樹脂を主成分とする本発明にかかる電気絶縁性基板は、熱焼却が容易であると共に、生分解性であるので土中に埋め自然分解させることもできる。したがって、本発明によると、廃棄における公害問題が解消できる。
【図面の簡単な説明】
【図１】実施例１の電極型バイオセンサーの平面図である。
【図２】実施例１の電極型バイオセンサーの形状を説明するための図であり、２ａは図１の部分拡大図、２ｂは２ａのＡ−Ａ線断面図、２ｃは２ａのＢ−Ｂ線断面図である
【図３】実施例１にかかる電極パターン形成用マスク板の平面図である。
【図４】実施例２の電極型バイオセンサー（円形形）の平断面図である。
【符号の説明】
１    基板１
２    作用極
３    対極
４    参照極
５    グルコースオキシターゼ膜
６    ステンレス板
７    作用極部分
７ａ  作用極の足部分
８    対極部分
８ａ  対極の足部分
９    参照極部分
９ａ  参照極の足部分
１０    円形基板２
１１    作用極
１２    対極
１１ａ  作用極端子
１２ａ  対極端子
【図１】
0003761294.tif 000002
【図２】
0003761294.tif 000003
【図３】
0003761294.tif 000004
【図４】
0003761294.tif 000005